【手続補正書】
【提出日】平成18年10月18日(2006.10.18)
【手続補正１】
【補正対象書類名】明細書
【補正対象項目名】特許請求の範囲
【補正方法】変更
【補正の内容】
【特許請求の範囲】
【請求項１】  基本波光パルスを超広帯域化する超広帯域光パルス生成装置と、
この超広帯域光パルス生成装置が生成する超広帯域光パルスのビーム断面を一方向（ｙ方向とする）に広げる円柱面レンズと上記ｙ方向と直交する方向（ｘ方向とする）に波長分散させる回折格子等とからなるビーム拡散装置と、
このビーム拡散装置で上記超広帯域光パルスのビーム断面を二次元的に広げた超広帯域光パルスから、波長分散方向（ｘ方向）の行（ｙ行：ｙ1 ，ｙ2 ，ｙ3 ，ｙ4 ，・・とする）毎に独立に振幅変調を加えて上記ｙ行毎にそれぞれ独立な中心波長（λ1 ，λ2 ，λ3 ，λ4 ，・・とする）を有する光パルス成分を取出す二次元空間振幅変調器と、
この二次元空間振幅変調器で取り出された上記ｙ行毎にそれぞれ独立な中心波長（λ1 ，λ2 ，λ3 ，λ4 ，・・）を有する上記光パルス成分を上記ｙ行毎に独立に位相変調を加える二次元空間位相変調器と、
上記二次元空間振幅変調と二次元空間位相変調器とで変調した上記光パルス成分を上記ｘ方向に縮めかつ集光するビーム縮小波形整形装置と、を有し、
上記中心波長毎に振幅と位相が独立に制御された複数の波形整形パルスを出力面上の異なった位置に得ることを特徴とする、超広帯域可変波長多重パルス波形整形装置。
【請求項２】  前記基本波光パルスの光源は、ピコ秒以下の超短パルスレーザ発生装置であることを特徴とする、請求項１に記載の超広帯域可変波長多重パルス波形整形装置。
【請求項３】  前記基本波光パルスの光源は、固体レーザ、ファイバーレーザ、半導体レーザ、色素レーザ及び光パラメトリックレーザのいずれか、或いはこれらの増幅システムとの組み合わせであることを特徴とする、請求項２に記載の超広帯域可変波長多重パルス波形整形装置。
【請求項４】  前記超広帯域光パルス発生装置は、前記基本波光パルスを一以上の非線形光学媒質中を通すことによって、自己位相変調効果及び誘起位相変調効果によって上記基本波光パルスのスペクトルが超広帯域化することを特徴とする、請求項１に記載の超広帯域可変波長多重パルス波形整形装置。
【請求項５】  前記超広帯域光パルス発生装置で生成する超広帯域光パルスは、ピコ秒以下の光パルスであることを特徴とする、請求項４に記載の超広帯域可変波長多重パルス波形整形装置。
【請求項６】  前記非線形光学媒質は、気体及び電離気体のいずれかを充填した中空ファイバーであることを特徴とする、請求項４に記載の超広帯域可変波長多重パルス波形整形装置。
【請求項７】  前記非線形光学媒質の構造は、導波路構造、バルク構造、薄膜構造、フォトニック結晶構造、フォトニックファイバー及び液体のいずれか、あるいはこれらの構造体を光学的に結合した組み合わせでなることを特徴とする、請求項４に記載の超広帯域可変波長多重パルス波形整形装置。
【請求項８】  前記非線形光学媒質は、３次の非線形光学特性を有していることを特徴とする、請求項４に記載の超広帯域可変波長多重パルス波形整形装置。
【請求項９】  前記二次元空間振幅変調器と二次元空間位相変調器は、光軸に直交してかつ直列に配設されており、振幅と位相を独立に、かつ、前記波長分散方向の行毎に独立に設定できることを特徴とする、請求項１に記載の超広帯域可変波長多重パルス波形整形装置。
【請求項１０】  前記二次元空間振幅変調器及び二次元空間位相変調器をフィードバック制御し所望の光パルスを得ることを特徴とする、請求項９に記載の超広帯域可変波長多重パルス波形整形装置。
【請求項１１】  前記二次元空間振幅変調器は、第１の超広帯域偏光板と、複数の画素からなる二次元空間位相変調器と、上記第１の超広帯域偏光板と偏光透過軸が直交する第２の超広帯域偏光板とを有していることを特徴とする、請求項９に記載の超広帯域可変波長多重パルス波形整形装置。
【請求項１２】  前記ビーム縮小波形整形装置は、光ビームを一方向に縮小する円柱レンズまたは円柱ミラーと、この一方向に縮小した光ビームの波長成分を集光して波形整形する回折格子またはプリズムとから成り、独立に制御された複数の波形整形パターンを出力面上の異なった位置に形成することを特徴とする、請求項１に記載の超広帯域可変波長多重パルス波形整形装置。
【手続補正２】
【補正対象書類名】明細書
【補正対象項目名】０００６
【補正方法】変更
【補正の内容】
【０００６】
【課題を解決するための手段】
上記目的を達成するために、本発明の超広帯域可変波長多重パルス波形整形装置のうち請求項１に記載の発明は、基本波光パルスを超広帯域化する超広帯域光パルス生成装置と、超広帯域光パルス生成装置が生成する超広帯光パルスのビーム断面を一方向（ｙ方向とする）に広げる円柱面レンズとｙ方向と直交する方向（ｘ方向とする）に波長分散させる回折格子等とからなるビーム拡張装置と、このビーム拡張装置で超広帯域光パルスのビーム断面を二次元的に広げた超広帯域光パルスから、波長分散方向（ｘ方向）の行（ｙ行：ｙ1 ，ｙ2 ，ｙ3 ，ｙ4 ，・・とする）毎に独立に振幅変調を加えてｙ行毎にそれぞれ独立な中心波長（λ1 ，λ2 ，λ3 ，λ4 ，・・とする）を有する光パルス成分を取出す二次元空間振幅変調器と、この二次元空間振幅変調器で取り出されたｙ行毎にそれぞれ独立な中心波長（λ1 ，λ2 ，λ3 ，λ4 ，・・）を有する上記光パルス成分をｙ行毎に独立に位相変調を加える二次元空間位相変調器と、二次元空間振幅変調と二次元空間位相変調器とで変調した光パルス成分を上記ｘ方向に縮めかつ集光するビーム縮小波形整形装置と、を有し、中心波長毎に振幅と位相が独立に制御された複数の波形整形パルスを出力面上の異なった位置に得ることを特徴とする。
【手続補正３】
【補正対象書類名】明細書
【補正対象項目名】０００７
【補正方法】変更
【補正の内容】
【０００７】
請求項２に記載の発明は、請求項１に記載の超広帯域可変波長多重パルス波形整形装置において、基本波光パルス光源が、ピコ秒以下の超短パルスレーザ発生装置であることを特徴とする。
請求項３に記載の発明は、請求項２に記載の超広帯域可変波長多重パルス波形整形装置において、基本波光パルスの光源が、固体レーザ、ファイバーレーザ、半導体レーザ、色素レーザ及び光パラメトリックレーザのいずれか或いはこれらの増幅システムとの組み合わせでなることを特徴とする。
【手続補正４】
【補正対象書類名】明細書
【補正対象項目名】０００８
【補正方法】変更
【補正の内容】
【０００８】
請求項４に記載の発明は、請求項１に記載の超広帯域可変波長多重パルス波形整形装置において、超広帯域光パルス発生装置が、基本波光パルスを一以上の非線形光学媒質中を通すことによって、自己位相変調効果及び誘起位相変調効果によって基本波光パルスのスペクトルが超広帯域化することを特徴とする。
請求項５に記載の発明は、請求項４に記載の超広帯域可変波長多重パルス波形整形装置において、超広帯域光パルス発生装置で生成する超広帯域光パルスが、ピコ秒以下の光パルスであることを特徴とする。
請求項６に記載の発明は、請求項４に記載の超広帯域可変波長多重パルス波形整形装置において、非線形光学媒質が、気体及び電離気体のいずれかを充填した中空ファイバーであることを特徴とする。
請求項７に記載の発明は、請求項４に記載の超広帯域可変波長多重パルス波形整形装置において、線形光学媒質の構造が、導波路構造、バルク構造、薄膜構造、フォトニック結晶構造、フォトニックファイバー及び液体のいずれかあるいはこれらの構造体を光学的に結合した組み合わせであることを特徴とする。
請求項８に記載の発明は、請求項４に記載の超広帯域可変波長多重パルス波形整形装置において、非線形光学媒質が、３次の非線形光学特性を有していることを特徴とする。
【手続補正５】
【補正対象書類名】明細書
【補正対象項目名】０００９
【補正方法】変更
【補正の内容】
【０００９】
請求項９に記載の発明は、請求項１に記載の超広帯域可変波長多重パルス波形整形装置において、透過光の振幅を設定する二次元空間振幅変調器と位相を設定する二次元空間位相変調器が、光軸に直交してかつ直列に配設されており、振幅と位相を独立に、かつ、波長分散方向の行毎に独立に設定できることを特徴とする。
請求項１０に記載の発明は、請求項９に記載の超広帯域可変波長多重パルス波形整形装置において、二次元空間振幅変調器及び二次元空間位相変調器をフィードバック制御し所望の光パルスを得ることを特徴とする。
【手続補正６】
【補正対象書類名】明細書
【補正対象項目名】００１０
【補正方法】変更
【補正の内容】
【００１０】
請求項１１に記載の発明は、請求項９に記載の超広帯域可変波長多重パルス波形整形装置において、二次元空間振幅変調器が、第１の超広帯域偏光板と、複数の画素からなる二次元空間位相変調器と、第１の超広帯域偏光板と偏光透過軸が直交する第２の超広帯域偏光板とを有していることを特徴とする。
また、請求項１２に記載の発明は、請求項１に記載の超広帯域可変波長多重パルス波形整形装置において、ビーム縮小波形整形装置が、光ビームを一方向に縮小する円柱レンズまたは円柱ミラーと、この一方向に縮小した光ビームの波長成分を集光して波形整形する回折格子またはプリズムとから成り、独立に制御された複数の波形整形パターンを出力面上の異なった位置に形成することを特徴とする。
【手続補正７】
【補正対象書類名】明細書
【補正対象項目名】００１１
【補正方法】削除
【補正の内容】